【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒとの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、第１現像コントラストＣ１で画像を形成し、前記第１現像コントラストＣ１よりも小さい第２現像コントラストＣ２で前記特定のドットパターンを形成し、
前記第２画像形成モードでは、第３現像コントラストＣ３で画像を形成し、前記第３現像コントラストＣ３よりも小さい第４現像コントラストＣ４で前記特定のドットパターンを形成し、
前記第２現像コントラストＣ２と前記第１現像コントラストＣ１の比をΔＣ１（＝Ｃ２／Ｃ１）とし、前記第４現像コントラストＣ４と前記第３現像コントラストＣ３の比をΔＣ２（＝Ｃ４／Ｃ３）としたとき、
ΔＣ２＜ΔＣ１
であることを特徴とする画像形成装置。
【請求項２】
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒとの周速比Ｖｄ／Ｖｄｒを、第１の周速比ΔＶ１に設定して前記画像情報に基づき画像を形成する第１画像形成モード
と、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、第１現像コントラストＣ１で画像を形成し、前記第１現像コントラストＣ１よりも小さい第２現像コントラストＣ２で前記特定のドットパターンを形成し、
前記第２画像形成モードでは、第３現像コントラストＣ３で画像を形成し、前記第３現像コントラストＣ３よりも小さい第４現像コントラストＣ４で前記特定のドットパターンを形成し、
前記第２現像コントラストＣ２と前記第１現像コントラストＣ１の差の絶対値をΔＣ１（＝｜Ｃ２−Ｃ１｜）とし、前記第４現像コントラストＣ４と前記第３現像コントラストＣ３の差の絶対値をΔＣ２（＝｜Ｃ４−Ｃ３｜）としたとき、
ΔＣ２＞ΔＣ１
であることを特徴とする画像形成装置。
【請求項３】
前記特定のドットパターンの濃度を所定の濃度以下にすることで、前記特定のドットパターンが不可視となることを特徴とする請求項１または２に記載の画像形成装置。
【請求項４】
前記第２画像形成モードにおいては、前記特定のドットパターンの濃度を、前記特定のドットパターンを含む画像全体の濃度を前記第２画像形成モードで高くした場合における前記特定のドットパターンの濃度よりも低くすることで、前記特定のドットパターンを見えにくくすることを特徴とする請求項１または２に記載の画像形成装置。
【請求項５】
前記像担持体を露光することで前記像担持体に前記静電像を形成する露光装置を有し、
前記像担持体において、前記露光装置から前記特定のドットパターンに対応する静電像への露光量を調整することで、現像される前記特定のドットパターンの濃度を低くすることを特徴とする請求項４に記載の画像形成装置。
【請求項６】
所定の情報を記憶する記憶部を有し、
前記第１画像形成モードにおける前記特定のドットパターンへの露光量と、前記第２画像形成モードにおける前記特定のドットパターンへの露光量は、予め前記記憶部に記憶されていることを特徴とする請求項５に記載の画像形成装置。
【請求項７】
前記第２画像形成モードにおいて、記録媒体に画像を形成する際に、前記像担持体において、前記特定のドットパターンに対応する部分の電位が、前記特定のドットパターンを含む画像全体の濃度を前記第２画像形成モードによって高くした場合における前記特定のドットパターンに対応する部分の電位よりも下がるように、前記特定のドットパターンへの露光量を低くすることを特徴とする請求項５または６に記載の画像形成装置。
【請求項８】
前記像担持体において、前記特定のドットパターンに対応する部分の電位と前記現像剤担持体の電位との差を、前記特定のドットパターンを含む画像全体の濃度を前記第２画像形成モードによって高くする場合における前記特定のドットパターンに対応する部分の電位と前記現像剤担持体の電位との差よりも小さくすることで、前記特定のドットパターンの濃度を低くすることを特徴とする請求項７に記載の画像形成装置。
【請求項９】
前記第１画像形成モードでは、記録媒体に形成される前記画像情報に、前記特定のドットパターンに対応する部分への前記露光量を変更しない第１情報を付加することで、前記像担持体において、前記特定のドットパターンに対応する部分の前記露光量を変更しないことを特徴とする請求項５〜８のいずれか１項に記載の画像形成装置。
【請求項１０】
前記第２画像形成モードでは、記録媒体に形成される前記画像情報に、前記特定のドットパターンに対応する部分への前記露光量を変更する第２情報を付加することで、前記像担持体において、前記特定のドットパターンに対応する部分の前記露光量を変更することを特徴とする請求項５から９のいずれか１項に記載の画像形成装置。
【請求項１１】
前記第２画像形成モードにおいて形成される前記特定のドットパターンの濃度は、前記第２画像形成モードにおいて形成される前記特定のドットパターン以外の画像の濃度の６０％以下であることを特徴とする請求項３から１０のいずれか１項に記載の画像形成装置。
【請求項１２】
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第２画像形成モードにおいて前記特定のドットパターンを形成する複数のドットのうち隣接する二つのドットの間隔を、前記第１画像形成モードにおける前記二つのドットの間隔よりも広くすることを特徴とする画像形成装置。
【請求項１３】
前記第２画像形成モードにおいては、前記特定のドットパターンを形成する複数のドット同士の間隔を、前記特定のドットパターンを含む画像全体の濃度を前記第２画像形成モードによって高くする場合における前記間隔よりも大きくすることで、前記特定のドットパターンを見えにくくすることを特徴とする請求項１２に記載の画像形成装置。
【請求項１４】
前記第１画像形成モードでは、記録媒体に形成される前記画像情報に、前記間隔を変更しない第１情報を付加することで、前記特定のドットパターンを形成する複数のドット同士の前記間隔を変更しないことを特徴とする請求項１３に記載の画像形成装置。
【請求項１５】
前記第２画像形成モードでは、記録媒体に形成される前記画像情報に、前記間隔を変更する第２情報を付加することで、前記特定のドットパターンを形成する複数のドット同士の前記間隔を変更することを特徴とする請求項１４に記載の画像形成装置。
【請求項１６】
所定の情報が記憶される記憶部を有し、
前記記憶部には、前記第１情報と前記第２情報とが予め記憶されていることを特徴とする請求項１５に記載の画像形成装置。
【請求項１７】
前記第２画像形成モードにおいて、前記現像剤担持体の周速Ｖｄを前記像担持体の周速Ｖｄｒよりも相対的に高くして、前記第２の周速比ΔＶ２を大きくすることで、記録媒体に形成される画像の色域を前記第１画像形成モードよりも拡大することを特徴とする請求項１または２に記載の画像形成装置。
【請求項１８】
前記第２画像形成モードにおいて、前記像担持体の周速Ｖｄｒを一定とし、前記現像剤担持体の周速Ｖｄのみを上げることで、前記第２の周速比ΔＶ２を大きくすることを特徴
とする請求項１７に記載の画像形成装置。
【請求項１９】
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、前記画像に対応する領域に第１現像剤載り量Ｍ１となるように現像剤を前記像担持体へ供給して画像を形成し、前記特定のドットパターンに対応する領域に前記第１現像剤載り量よりも少ない第２現像剤載り量Ｍ２となるように現像剤を前記像担持体へ供給して前記特定のドットパターンを形成し、
前記第２画像形成モードでは、前記画像に対応する領域に第３現像剤載り量Ｍ３となるように現像剤を前記像担持体へ供給して画像を形成し、前記特定のドットパターンに対応する領域に前記第３現像剤載り量よりも少ない第４現像剤載り量Ｍ４となるように現像剤を前記像担持体へ供給して前記特定のドットパターンを形成し、
前記第２現像剤載り量Ｍ２と前記第１現像剤載り量Ｍ１の比をΔＭ１（＝Ｍ２／Ｍ１）とし、前記第４現像剤載り量Ｍ４と前記第３現像剤載り量Ｍ３の比をΔＭ２（＝Ｍ４／Ｍ３）としたとき、
ΔＭ２＜ΔＭ１
であることを特徴とする画像形成装置。
【請求項２０】
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、前記画像に対応する領域に第１現像剤載り量Ｍ１となるように現像剤を前記像担持体へ供給して画像を形成し、前記特定のドットパターンに対応する領域に前記第１現像剤載り量よりも少ない第２現像剤載り量Ｍ２となるように現像剤を前記像担持体へ供給して前記特定のドットパターンを形成し、
前記第２画像形成モードでは、前記画像に対応する領域に第３現像剤載り量Ｍ３となるように現像剤を前記像担持体へ供給して画像を形成し、前記特定のドットパターンに対応する領域に前記第３現像剤載り量よりも少ない第４現像剤載り量Ｍ４となるように現像剤を前記像担持体へ供給して前記特定のドットパターンを形成し、
前記第２現像剤載り量Ｍ２と前記第１現像剤載り量Ｍ１の差の絶対値をΔＭ１（＝｜Ｍ２−Ｍ１｜）とし、前記第４現像剤載り量Ｍ４と前記第３現像剤載り量Ｍ３の差の絶対値をΔＭ２（＝｜Ｍ４−Ｍ３｜）としたとき、
ΔＭ２＞ΔＭ１
であることを特徴とする画像形成装置。
【請求項２１】
前記第１画像形成モードと前記第２画像形成モードを実行可能な制御手段を有することを特徴とする請求項１〜２０のいずれか１項に記載の画像形成装置。
【手続補正２】
【補正対象書類名】明細書
【補正対象項目名】０００８
【補正方法】変更
【補正の内容】
【０００８】
上記目的を達成するために、本発明の画像形成装置は、
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒとの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、第１現像コントラストＣ１で画像を形成し、前記第１現像コントラストＣ１よりも小さい第２現像コントラストＣ２で前記特定のドットパターンを形成し、
前記第２画像形成モードでは、第３現像コントラストＣ３で画像を形成し、前記第３現像コントラストＣ３よりも小さい第４現像コントラストＣ４で前記特定のドットパターンを形成し、
前記第２現像コントラストＣ２と前記第１現像コントラストＣ１の比をΔＣ１（＝Ｃ２／Ｃ１）とし、前記第４現像コントラストＣ４と前記第３現像コントラストＣ３の比をΔＣ２（＝Ｃ４／Ｃ３）としたとき、
ΔＣ２＜ΔＣ１
であることを特徴とする。
また、上記目的を達成するために、本発明の画像形成装置は、
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒとの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、第１現像コントラストＣ１で画像を形成し、前記第１現像コントラストＣ１よりも小さい第２現像コントラストＣ２で前記特定のドットパターンを形成し、
前記第２画像形成モードでは、第３現像コントラストＣ３で画像を形成し、前記第３現像コントラストＣ３よりも小さい第４現像コントラストＣ４で前記特定のドットパターンを形成し、
前記第２現像コントラストＣ２と前記第１現像コントラストＣ１の差の絶対値をΔＣ１（＝｜Ｃ２−Ｃ１｜）とし、前記第４現像コントラストＣ４と前記第３現像コントラストＣ３の差の絶対値をΔＣ２（＝｜Ｃ４−Ｃ３｜）としたとき、
ΔＣ２＞ΔＣ１
であることを特徴とする。
また、上記目的を達成するために、本発明の画像形成装置は、
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第２画像形成モードにおいて前記特定のドットパターンを形成する複数のドットのうち隣接する二つのドットの間隔を、前記第１画像形成モードにおける前記二つのドットの間隔よりも広くすることを特徴とする。
また、上記目的を達成するために、本発明の画像形成装置は、
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、前記画像に対応する領域に第１現像剤載り量Ｍ１となるように現像剤を前記像担持体へ供給して画像を形成し、前記特定のドットパターンに対応する領域に前記第１現像剤載り量よりも少ない第２現像剤載り量Ｍ２となるように現像剤を前記像担持体へ供給して前記特定のドットパターンを形成し、
前記第２画像形成モードでは、前記画像に対応する領域に第３現像剤載り量Ｍ３となるように現像剤を前記像担持体へ供給して画像を形成し、前記特定のドットパターンに対応する領域に前記第３現像剤載り量よりも少ない第４現像剤載り量Ｍ４となるように現像剤を前記像担持体へ供給して前記特定のドットパターンを形成し、
前記第２現像剤載り量Ｍ２と前記第１現像剤載り量Ｍ１の比をΔＭ１（＝Ｍ２／Ｍ１）とし、前記第４現像剤載り量Ｍ４と前記第３現像剤載り量Ｍ３の比をΔＭ２（＝Ｍ４／Ｍ３）としたとき、
ΔＭ２＜ΔＭ１
であることを特徴とする。
また、上記目的を達成するために、本発明の画像形成装置は、
静電像が形成される回転可能な像担持体と、
前記像担持体へ現像剤を供給して前記静電像を現像する回転可能な現像剤担持体と、
形成される画像に特定のドットパターンを付加するように画像情報を処理する処理手段と、
を有し、
前記現像剤担持体の周速Ｖｄと前記像担持体の周速Ｖｄｒの周速比Ｖｄ／Ｖｄｒを、第１の周速比ΔＶ１に設定して前記画像情報に基づき画像を形成する第１画像形成モードと、
前記第１の周速比ΔＶ１よりも大きい第２の周速比ΔＶ２に設定して前記画像情報に基づき画像を形成する第２画像形成モードと、
を実行可能な画像形成装置であって、
前記第１画像形成モードでは、前記画像に対応する領域に第１現像剤載り量Ｍ１となるように現像剤を前記像担持体へ供給して画像を形成し、前記特定のドットパターンに対応する領域に前記第１現像剤載り量よりも少ない第２現像剤載り量Ｍ２となるように現像剤を前記像担持体へ供給して前記特定のドットパターンを形成し、
前記第２画像形成モードでは、前記画像に対応する領域に第３現像剤載り量Ｍ３となるように現像剤を前記像担持体へ供給して画像を形成し、前記特定のドットパターンに対応する領域に前記第３現像剤載り量よりも少ない第４現像剤載り量Ｍ４となるように現像剤を前記像担持体へ供給して前記特定のドットパターンを形成し、
前記第２現像剤載り量Ｍ２と前記第１現像剤載り量Ｍ１の差の絶対値をΔＭ１（＝｜Ｍ２−Ｍ１｜）とし、前記第４現像剤載り量Ｍ４と前記第３現像剤載り量Ｍ３の差の絶対値をΔＭ２（＝｜Ｍ４−Ｍ３｜）としたとき、
ΔＭ２＞ΔＭ１
であることを特徴とする。
【手続補正３】
【補正対象書類名】明細書
【補正対象項目名】００４５
【補正方法】変更
【補正の内容】
【００４５】
ここで、図６（ａ）は実施例１において通常画像形成モードと広色域画像形成モードの両モードにおける画像部と追跡パターン部の感光ドラム２０１上の電位を示す図である。図中にあるコントラスト（現像コントラスト）とは現像電位と明部電位の差であり、コントラストの大きさに比例してトナーが感光ドラム上に付着する量が決まる。感光ドラム上のトナーはそのまま記録材に転写されるため、記録材上のトナーの載り量もコントラストに比例して決まる。図６（ｂ）は図６（ａ）で示した各条件での記録材上に載るトナー量を示した図である。図６（ｂ）と図６（ａ）を比較することで、コントラストの大きさによって記録材上でのトナーの載り量が決まることが分かる。各条件での各部電位と記録材上のトナーの載り量をまとめたのが以下の表である。
2017173800.tif 000001
ここで、通常画像形成モードにおける画像部のコントラストをＣ１（第１現像コントラストＣ１）、追跡パターン部のコントラストをＣ２（第２現像コントラストＣ２）とする。同様に広色域画像形成モードにおける画像部のコントラストをＣ３（第３現像コントラストＣ３）、追跡パターン部のコントラストをＣ４（第４現像コントラストＣ４）とする。通常画像形成モードでは画像部に比べて追跡パターン部のコントラストを小さくすることで、追跡パターン部のトナーの載り量を画像部よりも少なくし、追跡パターンを肉眼で見にくくしている。同様に広色域画像形成モードにおいて、追跡パターン部のコントラストは画像部に比べて小さく、追跡パターン部のトナーの載り量は少なくなっている。このため、広色域画像形成モードにおいても追跡パターンは肉眼で確認できない状態である。
さらにそれぞれのモードでの画像部と追跡パターン部のコントラスト比をΔＣ１＝Ｃ２／Ｃ１、ΔＣ２＝Ｃ４／Ｃ３とすると
ΔＣ１＝Ｃ２／Ｃ１＝１００Ｖ／２５０Ｖ＝２／５
ΔＣ２＝Ｃ４／Ｃ３＝１４０Ｖ／４００Ｖ＝７／２０
となり、
ΔＣ２＜ΔＣ１
の関係が成り立つ。これは広色域画像形成モードではトナーの載り量が多くなるため、コントラスト比が通常画像形成モードと同程度では追跡パターン部の載り量が増えてしまい、追跡パターンが肉眼で確認できる状態になってしまうことを防止するためである。広色域画像形成モードでは通常画像形成モードよりもコントラスト比を小さくすることで、追跡パターン部のトナーの載り量を抑え、追跡パターンが肉眼で見えない状態を保っている。
なお、ΔＣ１およびΔＣ２については、「比率」ではなく、「差分の絶対値」として用いることもできる。例えば、ΔＣ１＝｜Ｃ２−Ｃ１｜とし、ΔＣ２＝｜Ｃ４−Ｃ３｜としてもよい。この場合、ΔＣ２＞ΔＣ１の関係も成立する。
この効果により、本実施例では広色域画像形成モードにおける画像部ではトナーの載り量は０．６０ｍｇ／ｍ２と通常画像形成モードからの増加量が０．２４ｍｇ／ｍ２であるのに対し、追跡パターン部のトナーの載り量は０．２２ｍｇ／ｍ２と通常画像形成モードからの増加量が０．０７ｍｇ／ｍ２に抑えられている。
【手続補正４】
【補正対象書類名】明細書
【補正対象項目名】００４６
【補正方法】変更
【補正の内容】
【００４６】
ここで、通常画像形成モードにおける画像部（画像に対応する領域）のトナー載り量をＭ１（第１現像剤載り量Ｍ１）、追跡パターン部（ドットパターンに対応する領域）のト
ナー載り量をＭ２（第２現像剤載り量Ｍ２）とする。同様に、広色域画像形成モードにおける画像部のトナー載り量をＭ３（第３現像剤載り量Ｍ３）、追跡パターン部のトナー載り量をＭ４（第４現像剤載り量Ｍ４）とする。それぞれのモードでの画像部と追跡パターン部のトナー載り量比をΔＭ１＝Ｍ２／Ｍ１、ΔＭ２＝Ｍ４／Ｍ３とすると
ΔＭ１＝Ｍ２／Ｍ１＝０．１５ｍｇ／ｍ２／０．３６ｍｇ／ｍ２＝５／１２
ΔＭ２＝Ｍ４／Ｍ３＝０．２２ｍｇ／ｍ２／０．６０ｍｇ／ｍ２＝１１／３０
となり、
ΔＭ２＜ΔＭ１
の関係が成り立つ。
なお、ΔＭ２およびΔＭ１についても、「比率」ではなく、「差分の絶対値」として用いることもできる。例えば、ΔＭ１＝｜Ｍ２−Ｍ１｜とし、ΔＭ２＝｜Ｍ４−Ｍ３｜としてもよい。この場合、ΔＭ２＞ΔＭ１の関係も成立する。